【手続補正書】
【提出日】平成15年7月16日(2003.7.16)
【手続補正１】
【補正対象書類名】明細書
【補正対象項目名】特許請求の範囲
【補正方法】変更
【補正の内容】
【特許請求の範囲】
【請求項１】
被写体の情報をイメージセンサにより読み取って電気的な画像信号を外部に出力する画像読取装置と、
前記画像読取装置を制御すると共に、該画像読取装置から出力された画像信号を表示する外部装置とを具備し、
前記外部装置は、前記画像読取装置を前記外部装置に接続するための接続手段と、前記画像読取装置が前記接続手段により前記外部装置に接続されたことを検出する検出手段と、該検出手段の検出信号に基づいて前記画像読取装置の制御用のソフトウエアを起動させる制御手段とを備え、
前記画像読取装置は、前記ソフトウエアの起動に伴って、前記原稿の読み取りを行い、読み取った画像信号を前記外部装置に出力することを特徴とする画像読取システム。
【請求項２】
前記制御手段は、前記検出手段が、前記画像読取装置が前記外部装置に接続されたことを検出したときに、前記ソフトウエアを起動させることを特徴とする請求項１に記載の画像読取システム。
【請求項３】
前記画像読取装置は、前記イメージセンサから出力される画像信号をデジタル信号に変換するＡ／Ｄ変換器と、該Ａ／Ｄ変換器によりデジタル信号に変換された画像信号を前記外部装置に転送する転送手段とを備えることを特徴とする請求項１に記載の画像読取システム。
【請求項４】
被写体の情報をイメージセンサにより読み取って電気的な画像信号を外部に出力する画像読取装置と、前記画像読取装置を制御すると共に、該画像読取装置から出力された画像信号を表示する外部装置とを具備する画像読取システムの制御方法であって、
前記画像読取装置が前記外部装置に接続されたことを検出する検出工程と、
該検出工程における検出結果に基づいて、前記外部装置内の前記画像読み取り装置の制御用のソフトウエアを起動する起動工程と、
前記ソフトウエアの起動に伴って、前記画像読取装置において前記原稿の読み取りを行い、読み取った画像信号を前記外部装置に出力する読み取り工程と、
を具備することを特徴とする画像読取システムの制御方法。
【請求項５】
前記起動工程では、前記検出工程において、前記画像読取装置が前記外部装置に接続されたことを検出したときに、前記ソフトウエアを起動させることを特徴とする請求項４に記載の画像読取システムの制御方法。
【請求項６】
前記画像読取装置は、前記イメージセンサから出力される画像信号をデジタル信号に変換するＡ／Ｄ変換器と、該Ａ／Ｄ変換器によりデジタル信号に変換された画像信号を前記外部装置に転送する転送手段とを備えることを特徴とする請求項４に記載の画像読取システムの制御方法。
【請求項７】
被写体の情報をイメージセンサにより読み取って電気的な画像信号を外部に出力する画像読取装置と、前記画像読取装置を制御すると共に、該画像読取装置から出力された画像信号を表示する外部装置とを具備する画像読取システムを制御する制御プログラムを格納した記憶媒体であって、該制御プログラムが、
前記画像読取装置が前記外部装置に接続されたことを検出する検出工程のコードと、
該検出工程における検出結果に基づいて、前記外部装置内の前記画像読み取り装置の制御用のソフトウエアを起動する起動工程のコードと、
前記ソフトウエアの起動に伴って、前記画像読取装置において前記原稿の読み取りを行い、読み取った画像信号を前記外部装置に出力する読み取り工程のコードと、
を具備することを特徴とする記憶媒体。
【請求項８】
前記起動工程では、前記検出工程において、前記画像読取装置が前記外部装置に接続されたことを検出したときに、前記ソフトウエアを起動させることを特徴とする請求項７に記載の記憶媒体。
【請求項９】
被写体の情報をイメージセンサにより読み取って電気的な画像信号を外部に出力する画像読取装置に接続され、該画像読み取り装置を制御する外部装置であって、
前記画像読取装置を前記外部装置に接続するための接続手段と、
前記画像読取装置が前記接続手段により前記外部装置に接続されたことを検出する検出手段と、
該検出手段の検出信号に基づいて前記画像読取装置の制御用のソフトウエアを起動させる制御手段とを備え、
前記画像読取装置に、前記ソフトウエアの起動に伴って、前記原稿の読み取りを行わせ、読み取った画像信号を前記外部装置に出力させることを特徴とする外部装置。
【請求項１０】
前記制御手段は、前記検出手段が、前記画像読取装置が前記外部装置に接続されたことを検出したときに、前記ソフトウエアを起動させることを特徴とする請求項９に記載の外部装置。
【手続補正２】
【補正対象書類名】明細書
【補正対象項目名】０００５
【補正方法】変更
【補正の内容】
【０００５】
【課題を解決するための手段】
上述した課題を解決し、目的を達成するために、本発明に係わる画像読取システムは、被写体の情報をイメージセンサにより読み取って電気的な画像信号を外部に出力する画像読取装置と、前記画像読取装置を制御すると共に、該画像読取装置から出力された画像信号を表示する外部装置とを具備し、前記外部装置は、前記画像読取装置を前記外部装置に接続するための接続手段と、前記画像読取装置が前記接続手段により前記外部装置に接続されたことを検出する検出手段と、該検出手段の検出信号に基づいて前記画像読取装置の制御用のソフトウエアを起動させる制御手段とを備え、前記画像読取装置は、前記ソフトウエアの起動に伴って、前記原稿の読み取りを行い、読み取った画像信号を前記外部装置に出力することを特徴としている。


【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
また、本発明に係わる画像読取システムの制御方法は、被写体の情報をイメージセンサにより読み取って電気的な画像信号を外部に出力する画像読取装置と、前記画像読取装置を制御すると共に、該画像読取装置から出力された画像信号を表示する外部装置とを具備する画像読取システムの制御方法であって、前記画像読取装置が前記外部装置に接続されたことを検出する検出工程と、該検出工程における検出結果に基づいて、前記外部装置内の前記画像読み取り装置の制御用のソフトウエアを起動する起動工程と、前記ソフトウエアの起動に伴って、前記画像読取装置において前記原稿の読み取りを行い、読み取った画像信号を前記外部装置に出力する読み取り工程と、を具備することを特徴としている。


【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】変更
【補正の内容】
【００１３】
また、本発明に係わる記憶媒体は、被写体の情報をイメージセンサにより読み取って電気的な画像信号を外部に出力する画像読取装置と、前記画像読取装置を制御すると共に、該画像読取装置から出力された画像信号を表示する外部装置とを具備する画像読取システムを制御する制御プログラムを格納した記憶媒体であって、該制御プログラムが、前記画像読取装置が前記外部装置に接続されたことを検出する検出工程のコードと、該検出工程における検出結果に基づいて、前記外部装置内の前記画像読み取り装置の制御用のソフトウエアを起動する起動工程のコードと、前記ソフトウエアの起動に伴って、前記画像読取装置において前記原稿の読み取りを行い、読み取った画像信号を前記外部装置に出力する読み取り工程のコードと、を具備することを特徴としている。


【手続補正７】
【補正対象書類名】明細書
【補正対象項目名】００１５
【補正方法】変更
【補正の内容】
【００１５】
また、本発明に係わる外部装置は、被写体の情報をイメージセンサにより読み取って電気的な画像信号を外部に出力する画像読取装置に接続され、該画像読み取り装置を制御する外部装置であって、前記画像読取装置を前記外部装置に接続するための接続手段と、前記画像読取装置が前記接続手段により前記外部装置に接続されたことを検出する検出手段と、該検出手段の検出信号に基づいて前記画像読取装置の制御用のソフトウエアを起動させる制御手段とを備え、前記画像読取装置に、前記ソフトウエアの起動に伴って、前記原稿の読み取りを行わせ、読み取った画像信号を前記外部装置に出力させることを特徴としている。